(57)【要約】    【課題】      通信開始までに必要な時間が短く、かつ、無線通信システムにおけるスループットを低下させ難い通信端末装置及び無線通信方法を提供すること。    【解決手段】  使用サブチャネル選択部１０８は、応答判定部１０７から通知された再送信回数が０回のときには、受信品質測定部１０６から通知されるサブチャネル毎の受信品質が最上位のサブチャネルを選択し、選択したサブチャネルをサブチャネル割当部１１３に通知する。また、通知された再送信回数が１回以上のときには、直近のアクセス要求信号の送信後に受信したパイロット信号について受信品質測定部１０６から通知されたサブチャネル毎の受信品質に基づいて、最上位からその通知された再送信回数分下位のサブチャネルを選択して、選択したサブチャネルをサブチャネル割当部１１３に通知する。  【選択図】      図１
2006054860.tif 000002
【特許請求の範囲】
【請求項１】
周波数区分で定義されたサブチャネル群の中からランダムアクセス信号の送信に使用するサブチャネルを選択し、ランダムアクセス信号を再送信するたびに前回用いたサブチャネルとは異なるサブチャネルを選択するサブチャネル選択手段と、
選択されたサブチャネルでランダムアクセス信号を送信する送信手段と、
を具備する通信端末装置。
【請求項２】
パイロット信号を受信する受信手段と、
受信されたパイロット信号の受信品質を周波数区分で定義されたサブチャネル毎に測定する測定手段と、をさらに具備し、
前記サブチャネル選択手段は、測定された受信品質を用いて、サブチャネル群の中からサブチャネルを選択する通信端末装置。
【請求項３】
前記サブチャネル選択手段は、前記測定手段によって測定された受信品質が所定の閾値以上であるサブチャネル群の中のいずれかをランダムに選択する、請求項２記載の通信端末装置。
【請求項４】
前記サブチャネル選択手段は、前記測定手段によって測定された受信品質が最上位のサブチャネルを選択する、請求項２記載の通信端末装置。
【請求項５】
前記サブチャネル選択手段は、前記測定手段によって測定された受信品質が上位Ｍ個のサブチャネルの中のいずれかをランダムに選択する、請求項２記載の通信端末装置。
【請求項６】
送信したランダムアクセス信号の応答の有無を判定することによってランダムアクセス信号の再送信回数を計上する応答判定手段、をさらに具備し、
前記サブチャネル選択手段は、前記応答判定手段の計上した再送信回数の増加に伴い、サブチャネルの選択に際して使用される前記閾値を減少させる、
請求項３記載の通信端末装置。
【請求項７】
送信したランダムアクセス信号の応答の有無を判定することによってランダムアクセス信号の再送信回数を計上する応答判定手段、をさらに具備し、
前記サブチャネル選択手段は、前記応答判定手段の計上した再送信回数が０回のときには、前記測定手段によって測定された受信品質が最上位のサブチャネルを選択し、また前記応答判定手段の計上した再送信回数が１回以上のときには、前記測定手段によって測定された受信品質が最上位から前記計上した再送信回数分下位のサブチャネルを選択する、
請求項２記載の通信端末装置。
【請求項８】
送信したランダムアクセス信号の応答の有無を判定することによってランダムアクセス信号の再送信回数を計上する応答判定手段、をさらに具備し、
前記サブチャネル選択手段は、前記応答判定手段の計上した再送信回数が０回のときには、前記測定手段によって測定された受信品質が最上位のサブチャネルを選択し、また前記応答判定手段の計上した再送信回数が１回以上のときには、前記測定手段によって測定された受信品質が上位Ｍ個のサブチャネルの中のいずれかをランダムに選択する、
請求項２記載の通信端末装置。
【請求項９】
前記サブチャネル選択手段は、前記応答判定手段の計上した再送信回数が１回以上のときにおいて、前記計上した再送信回数の増加に伴い前記上位Ｍ個を増加させる、請求項８記載の通信端末装置。
【請求項１０】
ランダムアクセス信号の送信によって通信が開始された後に送信される送信データの優先度を判定する優先度判定手段、をさらに具備し、
前記サブチャネル選択手段は、前記優先度判定手段によって判定された送信データの優先度に従って前記上位Ｍ個を増加させる、
請求項５記載の通信端末装置。
【請求項１１】
送信したランダムアクセス信号の応答の有無を判定することによってランダムアクセス信号の再送信回数を計上する応答判定手段、をさらに具備し、
前記サブチャネル選択手段は、前記応答判定手段の計上した再送信回数が１回以上のときにおいて、前記計上した再送信回数の増加に伴い前記上位Ｍ個を増加させる、請求項１０記載の通信端末装置。
【請求項１２】
送信したランダムアクセス信号の応答の有無を判定することによってランダムアクセス信号を再送信するか否かを判定する応答判定手段と、
伝搬路状態を推定する推定手段と、をさらに具備し、
前記サブチャネル選択手段は、前記応答判定手段によりランダムアクセス信号を再送信すると判定されたときには、前記推定手段によって推定された伝搬路状態に基づいて、ランダムアクセス信号の送信に使用するサブチャネルを選択する請求項１記載の通信端末装置。
【請求項１３】
前記推定手段は、前記伝搬路状態を伝搬路の時間方向の変動の速さとして推定する請求項１２記載の通信端末装置。
【請求項１４】
前記サブチャネル選択手段は、前記伝搬路の時間方向の変動の速さが所定の閾値以上のとき、前回のランダムアクセス信号送信に用いたサブチャネルと周波数の差が所定量未満のサブチャネルを選択し、前記閾値未満のとき、前回のランダムアクセス信号送信に用いたサブチャネルと周波数の差が前記所定量以上のサブチャネルを選択する請求項１３記載の通信端末装置。
【請求項１５】
前記推定手段は、前記伝搬路状態を伝搬路の周波数方向の変動の速さとして推定する請求項１２記載の通信端末装置。
【請求項１６】
前記サブチャネル選択手段は、前記伝搬路の周波数方向の変動の速さが所定の閾値以上のとき、前回のランダムアクセス信号送信に用いたサブチャネルと周波数の差が所定量未満のサブチャネルを選択し、前記閾値未満のとき、前回のランダムアクセス信号送信に用いたサブチャネルと周波数の差が前記所定量以上のサブチャネルを選択する請求項１５記載の通信端末装置。
【請求項１７】
前記推定手段は、前記伝搬路状態を伝搬路の時間方向の変動の速さと周波数方向の変動の速さとの両方として推定する請求項１２記載の通信端末装置。
【請求項１８】
前記サブチャネル選択手段は、前記伝搬路の時間方向の変動の速さが所定の第１閾値未満、かつ周波数方向の変動の速さが所定の第２閾値未満のとき、前回のランダムアクセス信号送信に用いたサブチャネルと周波数の差が所定量以上のサブチャネルを選択し、前記伝搬路の時間方向の変動の速さが前記第１閾値以上、または周波数方向の変動の速さが前記第２閾値以上のとき、前回のランダムアクセス信号送信に用いたサブチャネルと周波数の差が前記所定量未満のサブチャネルを選択する請求項１７記載の通信端末装置。
【請求項１９】
前記サブチャネル選択手段は、前記伝搬路状態に基づいて、複数のサブチャネルで構成されるグループのいずれかを選択し、選択したグループの中のサブチャネルのいずれかを選択する請求項１２記載の通信端末装置。
【請求項２０】
前記サブチャネル選択手段は、前記伝搬路の時間方向の変動の速さが所定の閾値以上のとき、前回のランダムアクセス信号送信において選択したグループと同じグループを選択し、前記閾値未満のとき、前回のランダムアクセス信号送信において選択したグループとは異なるグループを選択する請求項１９記載の通信端末装置。
【請求項２１】
前記サブチャネル選択手段は、前記伝搬路の時間方向の変動の速さが所定の第１閾値未満であり、かつ、前記伝搬路の周波数方向の変動の速さが所定の第２閾値以上のとき、前回のランダムアクセス信号送信において選択したグループと周波数の差が所定量未満のグループを選択し、前記伝搬路の周波数方向の変動の速さが前記第２閾値未満のとき、前回のランダムアクセス信号送信において選択したグループと周波数の差が前記所定量以上のグループを選択する請求項２０記載の通信端末装置。
【請求項２２】
前記サブチャネルは、ＯＦＤＭ信号におけるサブキャリアまたはサブキャリアブロックである請求項１から請求項２１のいずれかに記載の通信端末装置。
【請求項２３】
前記サブチャネルは、ＦＤＭＡシステムにおける１つのシングルキャリア信号である請求項１から請求項２１のいずれかに記載の通信端末装置。
【請求項２４】
周波数区分で定義されたサブチャネル群の中からランダムアクセス信号の送信に使用するサブチャネルを選択し、ランダムアクセス信号を再送信するたびに前回用いたサブチャネルとは異なるサブチャネルを選択するサブチャネル選択工程と、
選択されたサブチャネルでランダムアクセス信号を送信する送信工程と、
を具備する無線通信方法。
【発明の詳細な説明】
【技術分野】
【０００１】
本発明は、基地局装置等と無線通信を行う通信端末装置及び無線通信方法に関する。
【背景技術】
【０００２】
従来、無線通信システムでは、携帯電話等の通信端末装置がパケット伝送等の無線通信を開始するに際して、基地局装置から周期的に送信されてくるパイロット信号を通信端末装置が受信し、その受信品質に基づいてオープンループによる送信電力制御（ＯＬ−ＴＰＣ）したアクセス要求信号をランダムアクセスチャネル（Random Access Channel：ＲＡＣＨ）で基地局装置に送信し、基地局装置がこのアクセス要求信号を受信したときにフォワードアクセスチャネル（Forward Access Channel：ＦＡＣＨ）で前記通信端末装置に対してアクセス許可信号を送信する、ようになっている。そして、通信端末装置は、このアクセス許可信号を受信した後に、基地局装置に対して、上り回線におけるデータチャネルを用いて送信データを送信する。
【０００３】
このような無線通信システムにおいて、複数の通信端末装置からアクセス要求信号がＲＡＣＨの同一のリソースで同時に送信されると、伝搬路においてアクセス要求信号の衝突（コリジョン）が生じてしまうため、アクセス要求信号が基地局装置で受信不能となり、その結果基地局装置から通信端末装置に対して、アクセス許可信号が送信されないことになる。
【０００４】
そこで、アクセス要求信号を送信してから所定の応答待機期間内にアクセス許可信号が送信されてこない場合には、通信端末装置が、先にアクセス要求信号を送信したタイミングを基準としてランダムに設定されるバックオフ時間の経過時に、アクセス要求信号を再送信する技術が開発されている（例えば特許文献１参照）。
【０００５】
図１６に、特許文献１に記載された技術を模式的に示す。図１６では、最初に、通信端末装置１と通信端末装置２とがそれぞれアクセス要求信号を同一のＲＡＣＨのサブチャネルで同時に送信しているため、どちらのアクセス要求信号も基地局装置で受信不能となっている。そして、通信端末装置１と通信端末装置２とは、最初のアクセス要求信号を送信してから所定の応答待機期間内に基地局装置からアクセス許可信号が送信されてこないため、ランダムに設定されたバックオフ時間１又はバックオフ時間２の経過時に、基地局装置に対してアクセス要求信号をそれぞれ再送信している。
【０００６】
このように、特許文献１に記載された技術では、アクセス要求信号のコリジョンが発生した場合に、バックオフ時間をランダムに設定することにより、再送信するアクセス要求信号のコリジョンの発生確率を低下させる。
【特許文献１】特開２０００−３０８１４８号公報
【発明の開示】
【発明が解決しようとする課題】
【０００７】
しかしながら、特許文献１に記載された技術では、アクセス要求信号の再送までの時間が応答待機期間よりも必然的に長くなるため、アクセス要求信号のコリジョンが発生すると、通信端末装置が通信を開始するまでに要する時間が長くなる、という問題がある。さらに、特許文献１に記載された技術では、このような通信端末装置を構成要素とする無線通信システムにおいて、通信開始までに必要な時間が長くなるため、スループットが低下し易い、という問題がある。
【０００８】
本発明はかかる点に鑑みてなされたものであり、通信開始までに必要な時間が短く、かつ、無線通信システムにおけるスループットを低下させ難い通信端末装置及び無線通信方法を提供することを目的とする。
【課題を解決するための手段】
【０００９】
本発明に係る通信端末装置は、周波数区分で定義されたサブチャネル群の中からランダムアクセス信号の送信に使用するサブチャネルを選択し、ランダムアクセス信号を再送信するたびに前回用いたサブチャネルとは異なるサブチャネルを選択するサブチャネル選択手段と、選択されたサブチャネルでランダムアクセス信号を送信する送信手段と、を具備する構成を採る。
【００１０】
本発明に係る通信端末装置は、パイロット信号を受信する受信手段と、受信されたパイロット信号の受信品質を周波数区分で定義されたサブチャネル毎に測定する測定手段と、をさらに具備し、前記サブチャネル選択手段は、測定された受信品質を用いて、サブチャネル群の中からサブチャネルを選択する、構成を採る。
【００１１】
本発明に係る通信端末装置は、前記発明において、前記サブチャネル選択手段は、前記測定手段によって測定された受信品質が所定の閾値以上であるサブチャネル群の中のいずれかをランダムに選択する、構成を採る。
【００１２】
本発明に係る通信端末装置は、前記発明において、前記サブチャネル選択手段は、前記測定手段によって測定された受信品質が最上位のサブチャネルを選択する、構成を採る。
【００１３】
本発明に係る通信端末装置は、前記発明において、前記サブチャネル選択手段は、前記測定手段によって測定された受信品質が上位Ｍ個のサブチャネルの中のいずれかをランダムに選択する、構成を採る。
【００１４】
本発明に係る通信端末装置は、前記発明において、送信したアクセス要求信号の応答の有無を判定することによってランダムアクセス信号の再送信回数を計上する応答判定手段をさらに具備し、前記サブチャネル選択手段は、前記応答判定手段の計上した再送信回数の増加に伴い、サブチャネルの選択に際して使用される前記閾値を減少させる、構成を採る。
【００１５】
本発明に係る通信端末装置は、前記発明において、送信したランダムアクセス信号の応答の有無を判定することによってアクセス要求信号の再送信回数を計上する応答判定手段、をさらに具備し、前記サブチャネル選択手段は、前記応答判定手段の計上した再送信回数が０回のときには、前記測定手段によって測定された受信品質が最上位のサブチャネルを選択し、また前記応答判定手段の計上した再送信回数が１回以上のときには、前記測定手段によって測定された受信品質が最上位から前記計上した再送信回数分下位のサブチャネルを選択する、構成を採る。
【００１６】
本発明に係る通信端末装置は、前記発明において、送信したランダムアクセス信号の応答の有無を判定することによってアクセス要求信号の再送信回数を計上する応答判定手段、をさらに具備し、前記サブチャネル選択手段は、前記応答判定手段の計上した再送信回数が０回のときには、前記測定手段によって測定された受信品質が最上位のサブチャネルを選択し、また前記応答判定手段の計上した再送信回数が１回以上のときには、前記測定手段によって測定された受信品質が上位Ｍ個のサブチャネルの中のいずれかをランダムに選択する、構成を採る。
【００１７】
本発明に係る通信端末装置は、前記発明において、前記サブチャネル選択手段は、前記応答判定手段の計上した再送信回数が１回以上のときにおいて、前記計上した再送信回数の増加に伴い前記上位Ｍ個を増加させる、構成を採る。
【００１８】
本発明に係る通信端末装置は、前記発明において、ランダムアクセス信号の送信によって通信が開始された後に送信される送信データの優先度を判定する優先度判定手段をさらに具備し、前記サブチャネル選択手段は、前記優先度判定手段によって判定された送信データの優先度に従って前記上位Ｍ個を増加させる、構成を採る。
【００１９】
本発明に係る通信端末装置は、前記発明において、送信したランダムアクセス信号の応答の有無を判定することによってアクセス要求信号の再送信回数を計上する応答判定手段をさらに具備し、前記サブチャネル選択手段は、前記応答判定手段の計上した再送信回数が１回以上のときにおいて、前記計上した再送信回数の増加に伴い前記上位Ｍ個を増加させる、構成を採る。
【００２０】
本発明に係る通信端末装置は、前記発明において、送信したランダムアクセス信号の応答の有無を判定することによってランダムアクセス信号を再送信するか否かを判定する応答判定手段と、伝搬路状態を推定する推定手段と、をさらに具備し、前記サブチャネル選択手段は、前記応答判定手段によりランダムアクセス信号を再送信すると判定されたときには、前記推定手段によって推定された伝搬路状態に基づいて、ランダムアクセス信号の送信に使用するサブチャネルを選択する、構成を採る。
【００２１】
本発明に係る通信端末装置は、前記発明において、前記推定手段は、前記伝搬路状態を伝搬路の時間方向の変動の速さとして推定する、構成を採る。
【００２２】
本発明に係る通信端末装置は、前記発明において、前記サブチャネル選択手段は、前記伝搬路の時間方向の変動の速さが所定の閾値以上のとき、前回のランダムアクセス信号送信に用いたサブチャネルと周波数の差が所定量未満のサブチャネルを選択し、前記閾値未満のとき、前回のランダムアクセス信号送信に用いたサブチャネルと周波数の差が前記所定量以上のサブチャネルを選択する、構成を採る。
【００２３】
本発明に係る通信端末装置は、前記発明において、前記推定手段は、前記伝搬路状態を伝搬路の周波数方向の変動の速さとして推定する、構成を採る。
【００２４】
本発明に係る通信端末装置は、前記発明において、前記サブチャネル選択手段は、前記伝搬路の周波数方向の変動の速さが所定の閾値以上のとき、前回のランダムアクセス信号送信に用いたサブチャネルと周波数の差が所定量未満のサブチャネルを選択し、前記閾値未満のとき、前回のランダムアクセス信号送信に用いたサブチャネルと周波数の差が前記所定量以上のサブチャネルを選択する、構成を採る。
【００２５】
本発明に係る通信端末装置は、前記発明において、前記推定手段は、前記伝搬路状態を伝搬路の時間方向の変動の速さと周波数方向の変動の速さとの両方として推定する、構成を採る。
【００２６】
本発明に係る通信端末装置は、前記発明において、前記サブチャネル選択手段は、前記伝搬路の時間方向の変動の速さが所定の第１閾値未満、かつ周波数方向の変動の速さが所定の第２閾値未満のとき、前回のランダムアクセス信号送信に用いたサブチャネルと周波数の差が所定量以上のサブチャネルを選択し、前記伝搬路の時間方向の変動の速さが前記第１閾値以上、または周波数方向の変動の速さが前記第２閾値以上のとき、前回のランダムアクセス信号送信に用いたサブチャネルと周波数の差が前記所定量未満のサブチャネルを選択する、構成を採る。
【００２７】
本発明に係る通信端末装置は、前記発明において、前記サブチャネル選択手段は、前記伝搬路状態に基づいて、複数のサブチャネルで構成されるグループのいずれかを選択し、選択したグループの中のサブチャネルのいずれかを選択する、構成を採る。
【００２８】
本発明に係る通信端末装置は、前記発明において、前記サブチャネル選択手段は、前記伝搬路の時間方向の変動の速さが所定の閾値以上のとき、前回のランダムアクセス信号送信において選択したグループと同じグループを選択し、前記閾値未満のとき、前回のランダムアクセス信号送信において選択したグループとは異なるグループを選択する、構成を採る。
【００２９】
本発明に係る通信端末装置は、前記発明において、前記サブチャネル選択手段は、前記伝搬路の時間方向の変動の速さが所定の第１閾値未満であり、かつ、前記伝搬路の周波数方向の変動の速さが所定の第２閾値以上のとき、前回のランダムアクセス信号送信において選択したグループと周波数の差が所定量未満のグループを選択し、前記伝搬路の周波数方向の変動の速さが前記第２閾値未満のとき、前回のランダムアクセス信号送信において選択したグループと周波数の差が前記所定量以上のグループを選択する、構成を採る。
【００３０】
本発明に係る通信端末装置は、前記発明において、前記サブチャネルは、ＯＦＤＭ信号におけるサブキャリアまたはサブキャリアブロックである、構成を採る。
【００３１】
本発明に係る通信端末装置は、前記発明において、前記サブチャネルは、ＦＤＭＡシステムにおける１つのシングルキャリア信号である、構成を採る。
【００３２】
本発明に係る無線通信方法は、周波数区分で定義されたサブチャネル群の中からランダムアクセス信号の送信に使用するサブチャネルを選択し、ランダムアクセス信号を再送信するたびに前回用いたサブチャネルとは異なるサブチャネルを選択するサブチャネル選択工程と、選択されたサブチャネルでランダムアクセス信号を送信する送信工程と、を具備するようにした。
【発明の効果】
【００３３】
本発明に係る通信端末装置によれば、周波数区分で定義されたサブチャネル群の中から選択されたサブチャネルでアクセス要求信号が送信又は再送信されるため、アクセス要求信号のコリジョンの発生確率を低下させることができる。その結果、本発明に係る通信端末装置によれば、アクセス要求信号の再送信回数を削減できることから、短時間で通信を開始でき、無線通信システムにおけるスループットの低下を抑制することができる。また、本発明に係る通信端末装置によれば、音声通信やビデオ伝送等の遅延要求の厳しいパケット通信の通信品質を向上させることができる。
【００３４】
また、本発明に係る通信端末装置によれば、アクセス要求信号を最初に送信する場合とアクセス要求信号のコリジョンが発生した後にアクセス要求信号を再送信する場合とにおいて、サブチャネルの選択方式を変更してもよいため、アクセス要求信号を再送信する場合におけるアクセス要求信号のコリジョンの発生確率をより一層効果的に低下させることができる。
【００３５】
また、本発明に係る通信端末装置によれば、パイロット信号の受信品質の良いサブチャネルでアクセス要求信号が送信されるため、アクセス要求信号の送信電力を抑えることができる。その結果、本発明に係る通信端末装置であれば、消費電力を抑制できることから、バッテリー使用時における通信時間を延長することができる。また、本発明に係る通信端末装置によれば、通信端末装置が例えばセルエッジ付近に位置する携帯電話等である場合において、この通信端末装置から送信されるアクセス要求信号が隣接する他セルにおける干渉信号となってその他セルにおけるスループットを低下させることを防止できる。
【発明を実施するための最良の形態】
【００３６】
本発明の骨子は、通信端末装置が、受信したパイロット信号の受信品質を周波数区分で定義されたサブチャネル毎に測定し、その受信品質に基づいて周波数区分で定義されたサブチャネル群の中からアクセス要求信号の送信に使用するサブチャネルを選択することである。
【００３７】
以下、本発明の実施の形態について、適宜図面を参照しながら詳細に説明する。なお、以下の各実施の形態では、セルラー方式による無線通信システムにおいて、複数の通信端末装置が基地局装置に対してＯＦＤＭ（Orthogonal Frequency Division Multiplexing）信号を送信する場合を例に説明する。ただし、実施の形態において、同一機能を有する構成には同一符号を付し、重複する説明は省略する。
【００３８】
（実施の形態１）
本発明の実施の形態１では、ＯＦＤＭ信号を時分割復信（ＴＤＤ：Time Division Duplex）方式で送信し、また受信する場合を例に説明する。図１は、本発明の実施の形態１に係る通信端末装置１００の構成を示すブロック図である。通信端末装置１００は、受信無線部１０１、ＦＦＴ（Fast Fourier Transform：高速フーリエ変換）部１０２、チャネル分離部１０３、復調部１０４、復号部１０５、受信品質測定部１０６、応答判定部１０７、使用サブチャネル選択部１０８、符号化部１１１−１、１１１−２、変調部１１２−１、１１２−２、サブチャネル割当部１１３、送信電力制御部１１４、ＩＦＦＴ（Inverse Fast Fourier Transform：逆高速フーリエ変換）部１１５、送信無線部１１６及びアンテナ素子１１７を具備する。
【００３９】
受信無線部１０１は、基地局装置から無線送信されてくるパイロット信号及びアクセス許可信号等をアンテナ素子１１７を介して受信し、それらの受信信号に周波数変換及びアナログ／ディジタル変換等の所定の受信処理を施し、受信処理後の受信信号をＦＦＴ部１０２に入力する。
【００４０】
ＦＦＴ部１０２は、受信無線部１０１から入力されてくる受信信号をシリアル信号からパラレル信号に変換し、このパラレル信号をＦＦＴ処理した後に再度シリアル信号に変換することにより、受信信号における周波数軸方向のシンボル配置を時間軸方向のシンボル配置に変換して、シンボル配置変換後の受信信号をチャネル分離部１０３に入力する。
【００４１】
チャネル分離部１０３は、ＦＦＴ部１０２から入力されてくる受信信号のチャネルを判別することにより、その受信信号がパイロット信号であるか否かを判定する。そして、チャネル分離部１０３は、その受信信号がパイロット信号であれば、その受信信号を受信品質測定部１０６に入力し、一方でその受信信号がパイロット信号でなければ、その受信信号を復調部１０４に入力する。
【００４２】
復調部１０４は、チャネル分離部１０３から入力されてくる受信信号を所定の方式で復調し、復調後の受信信号を復号部１０５に入力する。
【００４３】
復号部１０５は、復調部１０４から入力されてくる受信信号を所定の方式で復号して受信データを生成し、生成した受信データを応答判定部１０７及び図示しない制御部等に入力する。
【００４４】
受信品質測定部１０６は、チャネル分離部１０３から入力されてくるパイロット信号の受信品質例えば信号電力対干渉電力比（ＳＩＲ：Signal-to-Interference power Ratio）や受信電力レベルをＯＦＤＭ信号におけるサブキャリア群毎に、即ち周波数区分で定義されたサブチャネル毎に測定し、その測定結果を使用サブチャネル選択部１０８に通知する。
【００４５】
応答判定部１０７は、送信無線部１１６からアクセス要求信号が送信されたタイミングを検知し、また復号部１０５から入力されてくる受信データについて巡回冗長符号（ＣＲＣ：Cyclic Redundancy Checking）による誤り検出を行うことにより、アクセス要求信号の送信タイミングから所定の応答待機期間内に基地局装置からアクセス許可信号が送信されてきたか判定する。また、応答判定部１０７は、アクセス要求信号を基地局装置に最初に送信するときに、使用サブチャネル選択部１０８に対して、アクセス要求信号の再送信回数が０回であることを通知し、さらにこの最初のアクセス要求信号の送信タイミングから所定の応答待機期間内に基地局装置からアクセス許可信号が送信されてこなかったと判定したときには、この応答待機期間の経過時に、アクセス要求信号の再送信回数を１回計上して、使用サブチャネル選択部１０８に対して、次に送信されるアクセス要求信号の再送信回数が１回であることを通知する。そして、応答判定部１０７は、順次送信されるアクセス要求信号に対するアクセス許可信号が基地局装置から送信されてくるまで、各アクセス要求信号についての応答待機期間の経過時にその都度、アクセス要求信号の再送信回数を１回ずつ計上して、使用サブチャネル選択部１０８に対して、計上した再送信回数を通知する。また、応答判定部１０７は、アクセス要求信号についての応答待機期間内に基地局装置からアクセス許可信号が送信されてきたと判定したときには、使用サブチャネル選択部１０８に対して、その判定結果を通知する。
【００４６】
使用サブチャネル選択部１０８は、応答判定部１０７から通知された再送信回数が０回のときには、受信品質測定部１０６から通知されるサブチャネル毎の受信品質が最上位のサブチャネルを選択し、選択したサブチャネルをサブチャネル割当部１１３に通知する。また、使用サブチャネル選択部１０８は、応答判定部１０７から通知された再送信回数が１回以上のときには、直近のアクセス要求信号の送信後に受信したパイロット信号について受信品質測定部１０６から通知されたサブチャネル毎の受信品質に基づいて、最上位からその通知された再送信回数分下位のサブチャネルを選択し、選択したサブチャネルをサブチャネル割当部１１３に通知する。また、使用サブチャネル選択部１０８は、このようにして選択したサブチャネルの受信品質に対応付けられた送信電力レベルを送信電力制御部１１４に併せて通知する。なお、受信品質測定部１０６から通知されるサブチャネルの受信品質とアクセス要求信号の送信電力レベルとの対応付けは予め行われており、通知される受信品質が良いほどアクセス要求信号の送信電力レベルが低くなるように対応付けられている。また、使用サブチャネル選択部１０８は、アクセス許可信号が送信されてきたとの判定結果を応答判定部１０７から通知されたときには、その判定結果をサブチャネル割当部１１３に通知すると伴に、その後引き続き受信品質測定部１０６から通知されるパイロット信号についてのサブチャネル毎の受信品質に基づいて、その受信品質に対応付けられた送信電力レベルを送信電力制御部１１４に通知する。
【００４７】
符号化部１１１−１は、図示しない制御部等から入力されてくるアクセス要求信号を所定の方式で符号化して、符号化後のアクセス要求信号を変調部１１２−１に入力する。また、符号化部１１１−２は、図示しない制御部等から入力されてくる送信データを所定の方式で符号化して送信信号を生成し、生成した送信信号を変調部１１２−２に入力する。
【００４８】
変調部１１２−１は、符号化部１１１−１から入力されてくるアクセス要求信号を所定の方式で変調し、変調後のアクセス要求信号をサブチャネル割当部１１３に入力する。また、変調部１１２−２は、符号化部１１１−２から入力されてくる送信信号を所定の方式で変調し、変調後の送信信号をサブチャネル割当部１１３に入力する。
【００４９】
サブチャネル割当部１１３は、変調部１１２−１から入力されてくる変調されたアクセス要求信号に対して、使用サブチャネル選択部１０８から通知されるサブチャネル即ちサブキャリア群又は周波数を割り当てて、このサブチャネルを割り当てたアクセス要求信号を送信電力制御部１１４に入力する。また、サブチャネル割当部１１３は、使用サブチャネル選択部１０８からアクセス許可信号が送信されてきたとの判定結果を通知されたときには、変調部１１２−２から入力されてくる送信信号を図示しない制御部等から指示されたサブチャネル又は予め決められたサブチャネルに割り当てて、送信電力制御部１１４に入力する。
【００５０】
送信電力制御部１１４は、サブチャネル割当部１１３から入力されてくるアクセス要求信号又は送信信号を、使用サブチャネル選択部１０８から通知される送信電力レベルにまで増幅し、増幅後のアクセス要求信号又は送信信号をＩＦＦＴ部１１５に入力する。
【００５１】
ＩＦＦＴ部１１５は、送信電力制御部１１４から入力されてくるアクセス要求信号又は送信信号をパラレル信号に変換し、このパラレル信号に対して逆高速フーリエ変換を施すことによって時間軸方向のシンボル配置を周波数軸方向のシンボル配置に変換し、さらにシリアル信号に変換してＯＦＤＭ信号を生成し、生成したＯＦＤＭ信号を送信無線部１１６に入力する。
【００５２】
送信無線部１１６は、ＩＦＦＴ部１１５から入力されてくるアクセス要求信号又は送信信号であるＯＦＤＭ信号に対して、ディジタル／アナログ変換や周波数変換等の所定の送信処理を施した後に、そのＯＦＤＭ信号をアンテナ素子１１７を介して基地局装置に無線送信する。
【００５３】
次いで、通信端末装置１００の動作について、図２を用いて説明する。
【００５４】
図２では、通信端末装置１００−１と通信端末装置１００−２とがそれぞれ、同一の基地局装置に対して同時にアクセス要求信号を送信するものとし、またそれらの具備する受信品質測定部１０６において、パイロット信号におけるサブチャネル毎に受信ＳＩＲが測定されるものとする。また、図２では、通信端末装置１００−１において、パイロット信号におけるサブチャネル毎の受信ＳＩＲは、周波数選択性フェージングの影響により、サブチャネル＃１：６ｄＢ、サブチャネル＃２：−４ｄＢ、サブチャネル＃３：１０ｄＢ、サブチャネル＃４：１５ｄＢ、サブチャネル＃５：２ｄＢ及びサブチャネル＃６：５ｄＢとなっており、同様に通信端末装置１００−２において、パイロット信号におけるサブチャネル毎の受信ＳＩＲは、サブチャネル＃１：８ｄＢ、サブチャネル＃２：−３ｄＢ、サブチャネル＃３：５ｄＢ、サブチャネル＃４：１８ｄＢ、サブチャネル＃５：１２ｄＢ及びサブチャネル＃６：５ｄＢとなっている、ものとする。また、図２では、通信端末装置１００−１と通信端末装置１００−２とにおいて、最初に受信したパイロット信号についての受信ＳＩＲとその次に受信したパイロット信号についての受信ＳＩＲとが同一であるものとする。
【００５５】
図２では、通信端末装置１００−１と通信端末装置１００−２とがそれぞれ、アクセス要求信号を最初に送信する際に、パイロット信号についての受信ＳＩＲが最上位のサブチャネルを選択するため、同一のサブチャネル＃４を選択してしまうことになる。そのため、通信端末装置１００−１と通信端末装置１００−２とから送信された最初のアクセス要求信号はどちらも、基地局装置において受信不能となる。その結果、通信端末装置１００−１と通信端末装置１００−２とはどちらも、この最初のアクセス要求信号についての応答待機期間内にアクセス許可信号を受信できないため、次のパイロット信号の受信を契機に、アクセス要求信号を再送信することになる。このアクセス要求信号の再送信において、通信端末装置１００−１と通信端末装置１００−２とはそれぞれ、パイロット信号についての受信ＳＩＲが最上位から再送信回数分下位のサブチャネルを選択する。そのため、通信端末装置１００−１はサブチャネル＃３を、通信端末装置１００−２はサブチャネル＃５を選択することになる。従って、このようにして通信端末装置１００−１と通信端末装置１００−２とから再送信されたアクセス要求信号はどちらも、基地局装置に受信されることになる。
【００５６】
このように、本実施の形態に係る通信端末装置１００によれば、再送信回数に応じて異なるサブチャネルが選択され、選択されたサブチャネルでアクセス要求信号が送信又は再送信されるため、アクセス要求信号のコリジョンの発生確率を低下させることができる。その結果、本発明に係る通信端末装置１００によれば、アクセス要求信号を再送信する際にランダムなバックオフ時間を設定する必要がなくなり、かつ、アクセス要求信号の再送信回数を削減できることから、短時間で通信を開始でき、その結果無線通信システムにおけるスループットの低下を抑制することができ、また音声通信やビデオ伝送等の遅延要求の厳しいパケット通信における通信品質を向上させることができる。
【００５７】
また、本実施の形態に係る通信端末装置１００によれば、アクセス要求信号及び送信信号に対してパイロット信号についての受信ＳＩＲに基づいてＯＬ−ＴＰＣが行われるため、例えば通信端末装置１００が携帯電話であってセルエッジ付近に位置する場合に、通信端末装置１００の送信するアクセス要求信号や送信信号が、隣接する他セルにおいて干渉信号となってスループットを低下させることを防止することができる。また、本実施の形態に係る通信端末装置１００によれば、アクセス要求信号の送信に用いられるサブチャネルがその再送信回数に応じて受信ＳＩＲの良い方から順に選択されるため、アクセス要求信号の送信電力が最小値から始まり次第に大きくなることから、隣接する他セルに与える干渉をより一層減少させることができ、その結果、その他セルにおける干渉によるスループットの低下を効果的に防止することができる。
【００５８】
また、本実施の形態に係る通信端末装置１００によれば、アクセス要求信号を最初に送信する場合とアクセス要求信号のコリジョンが発生した後にアクセス要求信号を再送信する場合とにおいて、サブチャネルの選択方式を変更しているため、アクセス要求信号を再送信する場合におけるアクセス要求信号のコリジョンの発生確率をより一層低下させることができる。
【００５９】
なお、本実施の形態では、使用サブチャネル選択部１０８が、応答判定部１０７から通知されるアクセス要求信号の再送信回数に応じて、サブチャネルの選択方式を変更する場合について説明したが、本発明はこの場合に限定されるものではなく、例えば使用サブチャネル選択部１０８は、応答判定部１０７から通知されるアクセス要求信号の再送信回数が１回以上であっても引き続き受信品質が最上位のサブチャネルを選択するようにしてもよい。このようにすれば、使用サブチャネル選択部１０８におけるサブチャネルの選択に要する信号処理の負荷を軽減することができる。ちなみに、伝搬路のフェージング変動が速い場合において、このようにすれば、アクセス要求信号のコリジョンの発生確率はより一層低下する。
【００６０】
（実施の形態２）
図３は、本発明の実施の形態２に係る通信端末装置３００の構成を示すブロック図である。通信端末装置３００は、実施の形態１に係る通信端末装置１００において、使用サブチャネル選択部１０８の代わりに使用サブチャネル選択部３０８を具備し、さらに応答判定部１０７と使用サブチャネル選択部３０８との間に閾値設定部３２１を具備するものである。
【００６１】
使用サブチャネル選択部３０８は、受信品質測定部１０６から通知されるサブチャネル毎の受信品質に基づいて、その受信品質が閾値設定部３２１から通知される閾値以上のサブチャネル群の中のいずれかをランダムに選択し、選択したサブチャネルをサブチャネル割当部１１３に通知する。また、使用サブチャネル選択部３０８は、選択したサブチャネルの受信品質に対応付けられた送信電力レベルを送信電力制御部１１４に併せて通知する。
【００６２】
閾値設定部３２１は、応答判定部１０７から通知される再送信回数ｎ回に応じて、例えば初期値αｄＢ、変動係数βｄＢとして「閾値＝αｄＢ−ｎ回×βｄＢ」で算出される閾値を使用サブチャネル選択部３０８に通知する。なお、以下では、初期値αｄＢ＝５ｄＢ、変動係数βｄＢ＝２ｄＢとする。
【００６３】
次いで、通信端末装置３００の動作について、図４及び図５を用いて説明する。
【００６４】
図４に、通信端末装置３００の測定したパイロット信号におけるサブチャネル毎の受信ＳＩＲを示す。なお、図４に示すサブチャネル毎の受信ＳＩＲは、図２におけるそれと同一である。
【００６５】
閾値設定部３２１は、アクセス要求信号が最初に送信される際に、応答判定部１０７から再送信回数０回を通知されるため、閾値＝５ｄＢ−０回×２ｄＢ＝５ｄＢを使用サブチャネル選択部３０８に通知することになる。そして、使用サブチャネル選択部３０８は、図４（Ａ）に示すように、受信ＳＩＲが５ｄＢ以上であるサブチャネル＃１：６ｄＢ、サブチャネル＃３：１０ｄＢ、サブチャネル＃４：１５ｄＢ及びサブチャネル＃６：５ｄＢの中のいずれかをランダムに選択して、選択したサブチャネルをサブチャネル割当部１１３に通知すると伴に、その受信ＳＩＲに対応付けられた送信電力レベルを送信電力制御部１１４に通知する。
【００６６】
同様に、閾値設定部３２１は、応答判定部１０７から再送信回数１回を通知されたときには閾値＝５ｄＢ−１回×２ｄＢ＝３ｄＢを、また応答判定部１０７から再送信回数２回を通知されたときには閾値＝５ｄＢ−２回×２ｄＢ＝１ｄＢを、使用サブチャネル選択部３０８に通知することになる。そして、使用サブチャネル選択部３０８は、図４（Ｂ）及び図４（Ｃ）に示すように、受信ＳＩＲが３ｄＢ以上又は１ｄＢ以上であるサブチャネルの中のいずれかをランダムに選択して、選択したサブチャネルをサブチャネル割当部１１３に通知すると伴に、その受信ＳＩＲに対応付けられた送信電力レベルを送信電力制御部１１４に通知することになる。
【００６７】
図５に、通信端末装置３００−１と通信端末装置３００−２との測定したパイロット信号におけるサブチャネル毎の受信ＳＩＲが図４に示す通りであり、通信端末装置３００−１と通信端末装置３００−２とが同一の基地局装置に対して同時にアクセス要求信号を送信及び再送信する態様の一例を示す。図５に示す例では、通信端末装置３００−１と通信端末装置３００−２とが共に、図４（Ａ）に対応する再送信回数０回の場合にサブチャネル＃４を、また図４（Ｂ）に対応する再送信回数１回の場合にサブチャネル＃３を選択しているため、これらの場合において基地局装置においてアクセス要求信号が受信不能になっている。そして、図４（Ｃ）に対応する再送信回数２回の場合に、通信端末装置３００−１がサブチャネル＃４を選択し、通信端末装置３００−２がサブチャネル＃１を選択しているため、どちらのアクセス要求信号も基地局装置に初めて受信されている。
【００６８】
ところで、本実施の形態において、使用サブチャネル選択部３０８で使用される閾値を小さくすれば、アクセス要求信号が受信ＳＩＲの低いサブチャネルで送信又は再送信される確率が高くなるため、基地局装置においてアクセス要求信号の誤り率が上昇して、アクセス要求信号の再送信される確率が高くなる。一方で、使用サブチャネル選択部３０８で使用される閾値を大きくすれば、基地局装置でのアクセス要求信号の誤り率が低下するため、アクセス要求信号の再送信される確率が低下すると期待されるものの、その反面で使用サブチャネル選択部３０８の選択できるサブチャネルが少なくなるため、アクセス要求信号のコリジョンの発生確率が高くなることから、結果的にアクセス要求信号の再送信される確率が上昇してしまうとも考えられる。また、アクセス要求信号が再送信される確率は、無線通信システムにおける干渉量やノイズの大きさにも影響される。そこで、本実施の形態では、使用サブチャネル選択部３０８においてサブチャネルを選択する際に使用される閾値を、アクセス要求信号の再送信される確率が最も低くなるように、具体的には、アクセス要求信号の再送信回数の増加に伴って順次小さくすることにより、前記閾値の調節に内在するトレードオフや無線通信システムにおける干渉量及びノイズの大きさに適応する。
【００６９】
このように、本実施の形態に係る通信端末装置３００によれば、アクセス要求信号の再送信回数の増加に伴い、使用サブチャネル選択部３０８においてサブチャネルの選択に際して使用される閾値が徐々に小さくなるように調節されるため、アクセス要求信号の送信電力レベルを必要以上に高くすることなく、アクセス要求信号のコリジョンの発生確率を低下させることができる。
【００７０】
従って、本実施の形態に係る通信端末装置３００によれば、アクセス要求信号の送信電力レベルを必要以上に高くすることなく、アクセス要求信号のコリジョンの発生確率を低下させることができるため、通信端末装置３００がセルエッジ付近に位置する携帯電話等であっても、通信端末装置３００から送信されるアクセス要求信号が隣接する他セルにおける干渉信号となってその他セルにおけるスループットを低下させることを一層効果的に防止することができる。
【００７１】
なお、本実施の形態に係る通信端末装置３００では、基地局装置から遠くに位置するほどパイロット信号の平均受信電力が小さくなるため、使用サブチャネル選択部３０８においてサブチャネルの選択に際して使用される閾値が前記平均受信電力に比べて大きければ、使用サブチャネル選択部３０８の選択できるサブチャネルが少なくなる。そこで、本実施の形態に係る通信端末装置３００では、使用サブチャネル選択部３０８においてサブチャネルの選択に際して使用される閾値を、パイロット信号の平均受信電力に対する相対値としてもよい。
【００７２】
（実施の形態３）
図６は、本発明の実施の形態３に係る通信端末装置６００の構成を示すブロック図である。通信端末装置６００は、実施の形態１に係る通信端末装置１００において、使用サブチャネル選択部１０８の代わりに使用サブチャネル選択部６０８を具備し、さらに応答判定部１０７と使用サブチャネル選択部６０８との間に選択候補数設定部６３２を具備するものである。
【００７３】
使用サブチャネル選択部６０８は、受信品質測定部１０６から通知されるサブチャネル毎の受信品質に基づいて、その受信品質が選択候補数設定部６３２から通知されるＭ＋ｎ値以内となる上位品質のサブチャネル群の中のいずれかをランダムに選択し、選択したサブチャネルをサブチャネル割当部１１３に通知すると伴に、そのサブチャネルの受信品質に対応付けられた送信電力レベルを送信電力制御部１１４に通知する。
【００７４】
選択候補数設定部６３２は、受信したパイロット信号におけるサブチャネル総数よりも少ない自然数Ｍに、応答判定部１０７から通知される再送信回数ｎ回を加えて、そのＭ＋ｎ値を使用サブチャネル選択部６０８に通知する。なお、以下ではＭ＝５とするため、再送信回数が０回の場合には選択候補数設定部６３２から使用サブチャネル選択部６０８にＭ＋ｎ値＝５が通知され、再送信回数１回の場合にはＭ＋ｎ値＝６が通知されることになる。
【００７５】
次いで、通信端末装置６００の動作について、図７を用いて説明する。図７に、通信端末装置６００の測定したパイロット信号におけるサブチャネル毎の受信ＳＩＲを示す。なお、図７に示すサブチャネル毎の受信ＳＩＲは、図２におけるそれと同一である。従って、使用サブチャネル選択部６０８は、アクセス要求信号を最初に送信する際に、受信ＳＩＲが最低のサブチャネル＃２：−４ｄＢを除いた５つのサブチャネルの中のいずれか例えばサブチャネル＃３をランダムに選択して、選択したサブチャネルがサブチャネル＃３であることをサブチャネル割当部１１３に通知すると伴に、サブチャネル＃３の受信ＳＩＲに対応付けられた送信電力レベルを送信電力制御部１１４に通知することになる。同様に、使用サブチャネル選択部６０８は、アクセス要求信号の再送信回数が１回の場合には、全てのサブチャネル＃１〜＃６の中のいずれかをランダムに選択することができるようになる。
【００７６】
このように、本実施の形態に係る通信端末装置６００によれば、パイロット信号の平均受信電力が低くても、使用サブチャネル選択部６０８による選択候補であるサブチャネルを所定数確保できるため、アクセス要求信号のコリジョンの発生確率を効果的に低下させることができる。また、本実施の形態に係る通信端末装置６００によれば、アクセス要求信号を送信又は再送信するサブチャネルが受信品質の良い方のサブチャネルの中からランダムに選択されるため、その送信電力を低く設定できることから、隣接する他セルに与える干渉が低減される。このことにより、本実施の形態に係る通信端末装置６００によれば、隣接する他セルにおけるスループット低下を効果的に防ぐことができる。
【００７７】
（実施の形態４）
図８は、本発明の実施の形態４に係る通信端末装置８００の構成を示すブロック図である。通信端末装置８００は、実施の形態１に係る通信端末装置１００において、使用サブチャネル選択部１０８の代わりに使用サブチャネル選択部８０８を具備し、さらに優先度判定部８３１と選択候補数設定部８３２とを具備するものである。
【００７８】
使用サブチャネル選択部８０８は、先ず、受信品質測定部１０６から通知されるサブチャネル毎の受信品質を、複数のサブチャネル群例えば低周波数側のサブチャネル群と高周波数側のサブチャネル群とに区分する。また、使用サブチャネル選択部８０８は、後述する選択候補数設定部８３２から通知される優先度判定部８３１による送信データについての判定結果に基づいて、区分した低周波数側のサブチャネル群又は高周波数側のサブチャネル群のいずれかを選択する。さらに、使用サブチャネル選択部８０８は、選択したサブチャネル群について、受信品質測定部１０６から通知されるサブチャネル毎の受信品質に基づいて、その受信品質が後述する選択候補数設定部８３２から通知されるＭ＋ｎ値以内となる上位品質のサブチャネル群の中のいずれかをランダムに選択し、選択したサブチャネルをサブチャネル割当部１１３に通知すると伴に、そのサブチャネルの受信品質に対応付けられた送信電力レベルを送信電力制御部１１４に通知する。
【００７９】
優先度判定部８３１は、図示しない制御部等から入力されてくる送信データの種類を判別することにより、その優先度を判定する。具体的には、優先度判定部８３１は、入力されてくる送信データが音声パケットデータ等の遅延要求の厳しいデータである場合には、優先度の高い送信データであると判定し、一方で入力されてくる送信データがＷｅｂデータ等である場合には、優先度の低い送信データであると判定して、それらの判定結果を選択候補数設定部８３２に通知する。
【００８０】
選択候補数設定部８３２は、優先度判定部８３１から通知される送信データの優先度についての判定結果を使用サブチャネル選択部８０８に通知すると伴に、この判定結果に基づいて、使用サブチャネル選択部８０８の区分した低周波数側のサブチャネル群におけるサブチャネル総数と高周波数側のサブチャネル群におけるサブチャネル総数とに鑑み、それぞれのサブチャネル群について、それらのサブチャネル総数よりも少ない自然数Ｍを設定し、この設定値Ｍに応答判定部１０７から通知される再送信回数ｎ回を加えて、そのＭ＋ｎ値を使用サブチャネル選択部８０８に通知する。
【００８１】
次いで、通信端末装置８００の動作について、図９を用いて説明する。図９に、通信端末装置８００の測定したパイロット信号におけるサブチャネル毎の受信ＳＩＲを示す。本実施の形態では、図９に示すように、パイロット信号が１２のサブチャネルで構成されており、その低周波数側の６つのサブチャネルからなるサブチャネル群が送信データの優先度の低い通信端末装置８００に割り当てられ、一方で高周波数側の６つのサブチャネルからなるサブチャネル群が送信データの優先度の高い通信端末装置８００に割り当てられている。図９では、低周波数側のサブチャネル群におけるサブチャネル毎の受信ＳＩＲは、周波数選択性フェージングの影響により、サブチャネル＃１：６ｄＢ、サブチャネル＃２：−４ｄＢ、サブチャネル＃３：１０ｄＢ、サブチャネル＃４：１５ｄＢ、サブチャネル＃５：２ｄＢ及びサブチャネル＃６：５ｄＢとなっている。一方で、高周波数側のサブチャネル群におけるサブチャネル毎の受信ＳＩＲは、サブチャネル＃１：８ｄＢ、サブチャネル＃２：−３ｄＢ、サブチャネル＃３：５ｄＢ、サブチャネル＃４：１８ｄＢ、サブチャネル＃５：１２ｄＢ及びサブチャネル＃６：５ｄＢとなっている。
【００８２】
そして、図９（Ａ）に示す低優先度の送信データの場合では、アクセス要求信号の再送信回数０回のときに、選択候補数設定部８３２がＭ＝２と設定していることから、低周波数側のサブチャネル群における受信ＳＩＲの上位２つであるサブチャネル＃３：１０ｄＢ又はサブチャネル＃４：１５ｄＢのいずれかが使用サブチャネル選択部８０８によって選択されることになり、結果として使用サブチャネル選択部８０８がサブチャネル＃３を選択した態様を示している。一方で、図９（Ｂ）に示す高優先度の送信データの場合では、アクセス要求信号の再送信回数０回のときに、選択候補数設定部８３２がＭ＝４と設定していることから、高周波数側のサブチャネル群における受信ＳＩＲの上位４つであるサブチャネル＃１：８ｄＢ、サブチャネル＃３：５ｄＢ、サブチャネル＃４：１８ｄＢ及びサブチャネル＃５：１２ｄＢのいずれかが使用サブチャネル選択部８０８によって選択されることになり、結果として使用サブチャネル選択部８０８がサブチャネル＃１を選択した態様を示している。即ち、図９から明らかなように、送信データの優先度の異なる通信端末装置８００間において、アクセス要求信号の送信に使用するサブチャネルが同一となることはあり得ない。
【００８３】
このように、本実施の形態に係る通信端末装置８００によれば、使用サブチャネル選択部８０８が、受信品質測定部１０６から通知されるサブチャネル毎の受信品質について、予め低周波数側のサブチャネル群と高周波数側のサブチャネル群とに区分するため、送信データの優先度が異なる通信端末装置８００間において、アクセス要求信号のコリジョンが発生するおそれを完全になくすことができる。
【００８４】
また、本実施の形態に係る通信端末装置８００によれば、選択候補数設定部８３２が優先度の低い送信データについての自然数Ｍよりも優先度の高い送信データについての自然数Ｍを大きく設定するため、優先度の高い送信データを保持する通信端末装置８００ほど、アクセス要求信号のコリジョンの発生確率が低下することから、保持する送信データを短時間で基地局装置に送信することができる。
【００８５】
なお、本実施の形態では、図９に示すように、優先度の高い送信データを保持する通信端末装置８００と優先度の低い送信データを保持する通信端末装置８００とに対してそれぞれ、アクセス要求信号の送信に使用するサブチャネルを同数割り当てる場合について説明したが、本発明はこの場合に限定されるものではなく、例えば優先度の高い送信データを保持する通信端末装置８００に対して、より多くのサブチャネルを割り当てるようにしてもよい。
【００８６】
（実施の形態５）
上記実施の形態１から実施の形態４では、ＯＦＤＭ信号をＴＤＤ方式で送信し、また受信する場合を例に説明したが、本発明の実施の形態５では、ＯＦＤＭ信号を周波数分割複信（ＦＤＤ：Frequency Division Duplex）方式で送信し、また受信する場合を例に説明する。
【００８７】
図１０は、本発明の実施の形態５に係る通信端末装置１０００の構成を示すブロック図である。通信端末装置１０００は、実施の形態１に係る通信端末装置１００において、受信品質測定部１０６の代わりに受信品質測定部１００６を具備し、使用サブチャネル選択部１０８の代わりに使用サブチャネル選択部１００８を具備し、さらに伝搬路状態推定部１０３１を具備するものである。
【００８８】
受信品質測定部１００６は、チャネル分離部１０３から入力されてくるパイロット信号を用いて、全帯域、すなわちＯＦＤＭ信号における全サブキャリアの平均の受信品質、例えば平均ＳＩＲや平均受信電力レベルを測定し、その測定結果基づいた送信電力レベルを送信電力制御部に通知する。
【００８９】
伝搬路状態推定部１０３１は、チャネル分離部１０３から入力されてくるパイロット信号を用いて、伝搬路の周波数選択性（周波数方向のフェージング変動の速さ）と、伝搬路の時間変動の速さとを推定する。これらの推定方法としては、それぞれパイロット信号の周波数方向及び時間方向の変動量に基づいて推定する。また、伝搬路の周波数選択性については、到来波の遅延分散から、伝搬路の時間変動の速さについては、最大ドップラー周波数として通信端末装置の移動速度からも推定できる。本実施の形態では、伝搬路の周波数選択性の推定には遅延分散を、時間変動の速さの推定には最大ドップラー周波数（ｆＤ）を用いることとする。
【００９０】
使用サブチャネル選択部１００８は、応答判定部１０７から通知された再送信回数が０回のときには、使用するサブチャネルをランダムに選択し、選択したサブチャネルをサブチャネル割当部１１３に通知する。使用サブチャネル選択部１００８は、応答判定部１０７から通知された再送信回数が１回以上のときには、伝搬路状態推定部１０３１から通知された遅延分散及び最大ドップラー周波数に基づいてサブチャネルを選択する。例えば、遅延分散が所定の閾値（例えば１００ｎｓ）以下、かつ最大ドップラー周波数が所定の閾値（例えば８０Ｈｚ）以下であれば、前回の送信に用いたサブチャネルに対して、周波数方向に所定のサブチャネル数（例えば５サブチャネル）以上離れたサブチャネルの中からランダムに選択する。また、遅延分散が所定の閾値以下、かつ最大ドップラー周波数が所定の閾値以下を満たさなければ、前回の送信に用いたサブチャネルに対して、周波数方向に所定のサブチャネル数未満の範囲にあるサブチャネルの中からランダムに選択する。すなわち、遅延分散が小さいほど、また最大ドップラー周波数が低いほど、前回の送信に用いたサブチャネルから周波数の離れたサブチャネルが選択される。
【００９１】
ここでは、前回の送信に用いたサブチャネル以外のサブチャネルを選択するものとする。選択されたサブチャネルはサブチャネル割当部１１３に通知される。
【００９２】
次いで、通信端末装置１０００の動作について、図１１を用いて説明する。
【００９３】
図１１では、通信端末装置１０００−１と通信端末装置１０００−２とがそれぞれ、同一の基地局装置に対して同時にアクセス要求信号を送信するものとする。通信端末装置１０００−１は低速に移動し、かつ周波数選択性が小さいものとし、通信端末装置１０００−２は高速に移動し、かつ周波数選択性が大きいものとする。
【００９４】
図１１では、通信端末装置１０００−１と通信端末装置１０００−２とがそれぞれ、アクセス要求信号を最初に送信する際に、ランダムにサブチャネルを選択した結果、同一のサブチャネル＃１０を選択しているため、最初のアクセス要求信号はどちらも基地局装置において受信不能となる。その結果、通信端末装置１０００−１と通信端末装置１０００−２とはどちらも、この最初のアクセス要求信号についての応答待機期間内にアクセス許可信号を受信できないため、アクセス要求信号を再送信することになる。
【００９５】
このアクセス要求信号の再送信において、使用サブチャネル選択部１００８がサブチャネルを選択する方法について図１２を用いて説明する。図１２において、ステップ（以下、「ＳＴ」と省略する）１２０１では、最大ドップラー周波数（ｆＤ）が閾値（８０Ｈｚ）を越えるか否かが判定され、越える（Ｙｅｓ）と判定された場合、ＳＴ１２０３に移行し、越えない（Ｎｏ）と判定された場合、ＳＴ１２０２に移行する。
【００９６】
ＳＴ１２０２では、遅延分散が閾値（１００ｎｓ）を越えるか否かが判定され、越える（Ｙｅｓ）と判定された場合、ＳＴ１２０３に移行し、越えない（Ｎｏ）と判定された場合、ＳＴ１２０４に移行する。
【００９７】
ＳＴ１２０３では、前回の送信に用いたサブチャネルに対して、所定のサブチャネル数Ｐ未満となる範囲内のサブチャネルからランダムに選択され、ＳＴ１２０４では、前回の送信に用いたサブチャネルに対して、所定のサブチャネル数Ｐ以上離れたサブチャネルからランダムに選択される。
【００９８】
再度、図１１を参照するに、通信端末装置１０００−１は、伝搬路の周波数選択性が小さく（遅延分散＝３０ｎｓ）、移動速度が低い（ｆＤ＝５Ｈｚ）ことから、遅延分散が閾値（１００ｎｓ）以下、かつ最大ドップラー周波数が閾値（８０Ｈｚ）以下という条件を満たす。このため、再送信時には、図１２に示したサブチャネルの選択方法に基づいて、前回の送信に用いたサブチャネル＃１０から５サブチャネル以上周波数が離れたサブチャネルの中からランダムにサブチャネルを選択し、この結果サブチャネル＃３を選択して送信している。一方、通信端末装置１０００−２は、伝搬路の周波数選択性が大きく（遅延分散＝２００ｎｓ）、移動速度が高い（ｆＤ＝１５０Ｈｚ）ことから、遅延分散が１００ｎｓ以下、かつ最大ドップラー周波数が８０Ｈｚ以下という条件を満たさない。このため、前回の送信に用いたサブチャネル＃１０から５サブチャネル未満となる範囲内でランダムにサブチャネルを選択し、この結果サブチャネル＃８を選択して送信している。
【００９９】
次に、遅延分散が小さいほど、また最大ドップラー周波数が低いほど前回の送信に用いたサブチャネルから周波数が離れたサブチャネルを選択する理由について説明する。ＲＡＣＨ伝送失敗の原因として、周波数選択性フェージングに起因する周波数軸上での受信電力の落ち込みによるものと、コリジョン（２ユーザ以上の通信端末が同時に同じサブチャネルで送信すること）によるものとが考えられる。
【０１００】
ＲＡＣＨ再送信時には、上記２つの原因により伝送失敗する確率を低減させ、伝送遅延を低減させることができる。周波数選択性フェージングによる受信電力の落ち込みに関しては、前回伝送失敗したときに用いたサブチャネルと異なる伝搬路のサブチャネルを用いて送信することにより、再送信時にも周波数選択性フェージングにより受信電力が落ち込んでしまう確率を低減することができる。そのためには、前回用いたサブチャネルに対して周波数軸上で十分離したサブチャネルを用いればよい。
【０１０１】
ところが、周波数軸上で十分離したサブチャネルに選択肢を限定すると、再送信時にコリジョンする確率が増加してしまう。そこで、再送信時にコリジョンする確率を低減させるために、遅延分散及び最大ドップラー周波数に基づいて、周波数軸上で前回用いたサブチャネルからどの程度離すかを決める。具体的には、最大ドップラー周波数が低く、かつ遅延分散が小さいユーザは、再送信時に前回の送信に対する伝搬路の変化量が小さく、また周波数方向の伝搬路変動が緩やかであるため、前回用いたサブチャネルに対して周波数軸上で所定サブチャネル以上離れたサブチャネルを選択する。上記以外のユーザは伝搬路が時間的に変化しているため、あるいは周波数方向の変動が激しいため、それほど周波数軸上で離さなくても伝搬路が異なっている可能性が高い。従って、前回用いたサブチャネルから所定範囲内のサブチャネルを選択する。一般に、セルラーシステムにおいて、セル内には様々な伝搬路状態のユーザが存在するため、上記の選択方法によりユーザ毎に異なるサブチャネルを選択し、コリジョンを回避する確率を向上させることができる。
【０１０２】
このように、本実施の形態に係る通信端末装置１０００によれば、ＲＡＣＨの再送信時に用いるサブキャリアを、前回送信時からの伝搬路の変動量に応じて、前回用いたサブキャリアから周波数軸上で離すため、コリジョン及びフェージングの落ち込みによるＲＡＣＨの伝送失敗の確率を低減することができる。その結果、長時間のバックオフ時間を設ける必要がなくなり、ＲＡＣＨの再送信回数を低減できるため、短時間で通信を開始でき、音声通信やビデオ伝送などの遅延要求の厳しいパケット通信における通信品質を向上させることができる。また、再送信回数の低減によりスループットの低下を抑制することができる。
【０１０３】
なお、本実施の形態では、伝搬路状態として周波数選択性及び時間変動の速さの両方を用いる場合について説明したが、どちらか一方だけ用いてもよい。また、周波数選択性をコヒーレント帯域幅（伝搬路が一定とみなせる帯域幅）、時間変動の速さをコヒーレント時間（伝搬路が一定とみなせる時間）などで定義してもよい。
【０１０４】
また、遅延分散と最大ドップラー周波数それぞれに対して複数の閾値を設定し、それらに対応した複数のサブチャネルの選択幅を設定してもよい。
【０１０５】
また、応答判定部１０７はアクセス要求信号の再送信回数を計上するものとして説明したが、アクセス要求信号を再送信するか否かを判定するだけでもよい。
【０１０６】
（実施の形態６）
本発明の実施の形態６では、実施の形態５において説明した複数のサブチャネルがグループ化されている場合について説明する。
【０１０７】
図１３は、本発明の実施の形態６に係る通信端末装置１３００の構成を示すブロック図である。通信端末装置１３００は、実施の形態５に係る通信端末装置１０００において、使用サブチャネル選択部１００８の代わりに使用サブチャネル選択部１３０８を具備し、さらにグループ選択部１３３１を具備するものである。
【０１０８】
グループ選択部１３３１は、複数のサブチャネルで構成されるグループの中から１つのグループを選択する。具体的には、応答判定部１０７から通知された再送信回数が０回のときには、使用するグループをランダムに選択する。また、応答判定部１０７から通知された再送信回数が１回以上のときには、伝搬路状態推定部１０３１から通知される最大ドップラー周波数及び遅延分散に基づいてグループを選択する。例えば、最大ドップラー周波数が所定の閾値（例えば８０Ｈｚ）以上であれば、前回の送信に用いたグループと同じグループを選択し、所定の閾値未満であれば、前回用いたグループとは異なるグループを選択する。さらに、最大ドップラー周波数が所定の閾値未満の場合において、遅延分散が所定の閾値（１００ｎｓ）以上の場合は前回の送信に用いたグループから所定のグループ数（例えば、２グループ）未満の範囲内のグループを選択し、遅延分散が所定の閾値未満の場合は前回の送信に用いたグループから所定のグループ数以上離れたグループを選択する。選択したグループは使用サブチャネル選択部１３０８に通知する。
【０１０９】
使用サブチャネル選択部１３０８は、グループ選択部１３３１から通知されたグループ内のサブチャネルの中からランダムに１つのサブチャネルを選択し、選択したサブチャネルをサブチャネル割当部１１３に通知する。
【０１１０】
次いで、通信端末装置１３００の動作について、図１４を用いて説明する。
【０１１１】
図１４では、１６サブチャネルが４サブチャネルずつグループ化され、計４グループが存在するものとし、通信端末装置１３００−１と通信端末装置１３００−２とがそれぞれ、同一の基地局に対してアクセス要求信号を最初に送信する条件は、図１１と同様とする。すなわち、通信端末装置１０００−１と通信端末装置１０００−２とはどちらも、この最初のアクセス要求信号についての応答待機期間内にアクセス許可信号を受信できないため、アクセス要求信号を再送信することになる。
【０１１２】
このアクセス要求信号の再送信において、サブチャネルの選択方法について図１５を用いて説明する。図１５において、ＳＴ１５０１では、最大ドップラー周波数（ｆＤ）が閾値（８０Ｈｚ）を越えるか否かがグループ選択部１３３１によって判定され、越える（Ｙｅｓ）と判定された場合、ＳＴ１５０２に移行し、越えない（Ｎｏ）と判定された場合、ＳＴ１５０３に移行する。
【０１１３】
ＳＴ１５０２では、前回の送信に用いたグループとは異なるグループがグループ選択部１３３１によって選択され、ＳＴ１５０６に移行する。
【０１１４】
ＳＴ１５０３では、遅延分散が閾値（１００ｎｓ）を越えるか否かがグループ選択部１３３１によって判定され、越える（Ｙｅｓ）と判定された場合、ＳＴ１５０４に移行し、越えない（Ｎｏ）と判定された場合、ＳＴ１５０５に移行する。
【０１１５】
ＳＴ１５０４では、前回の送信に用いたグループに対して、所定のグループ数Ｎ未満となる範囲内のグループからランダムにグループが選択し、ＳＴ１５０５では、前回の送信に用いたグループに対して、所定のグループ数Ｎ以上離れたグループからランダムにグループを選択する。
【０１１６】
ＳＴ１５０６では、選択されたグループの中からランダムにサブチャネルが使用サブチャネル選択部１３０８によって選択される。
【０１１７】
再度、図１４を参照するに、再送信時には、通信端末装置１３００−１は、最大ドップラー周波数が５Ｈｚであり、所定の閾値（例えば８０Ｈｚ）未満であるため、図１５に示したサブチャネルの選択方法に基づいて、前回の送信に用いたグループ（グループＣ）とは異なるグループを選択する。さらに、遅延分散が３０ｎｓであり、所定の閾値（例えば１００ｎｓ）未満であるため、グループＣから２グループ以上離れたグループＡを選択している。そして、グループＡの中からランダムにサブチャネルを選択した結果、サブチャネル＃３を用いて送信している。
【０１１８】
一方、通信端末装置１３００−２は、最大ドップラー周波数が１５０Ｈｚであり、所定の閾値（例えば８０Ｈｚ）以上であるため、前回の送信に用いたグループと同じグループとしてグループＣを選択している。そして、グループＣの中からランダムにサブチャネルを選択した結果、サブチャネル＃１２を用いて送信している。
【０１１９】
このように、本実施の形態に係る通信端末装置１３００によれば、ＲＡＣＨの再送信時に各通信端末装置の伝搬路の時間方向の変動量が大きく、最大ドップラー周波数が高ければ、前回の送信と同じグループのサブチャネルを選択し、伝搬路の時間方向の変動量が小さく、最大ドップラー周波数が低ければ、前回の送信と異なるグループのサブチャネルを選択するため、フェージングの落ち込み及びコリジョンによるＲＡＣＨ伝送失敗の確率を低減することができる。また、前回の送信と異なるグループを選択する際に、伝搬路の周波数方向の変動量、つまり遅延分散に応じて前回の送信に用いたグループから周波数が離れたグループを選択することにより、フェージングの落ち込みによるＲＡＣＨ伝送失敗の確率をより低減させることができる。その結果、長時間のバックオフ時間を設ける必要がなくなり、ＲＡＣＨの再送信回数を低減できるため、短時間で通信を開始でき、音声通信やビデオ伝送などの遅延要求の厳しいパケット通信における通信品質を向上させることができる。また、再送信回数の低減によりスループットの低下を抑制することができる。
【０１２０】
なお、本実施の形態においては伝搬路状態として周波数選択性及び時間変動の速さの両方を用いる場合について説明したが、どちらか一方だけ用いてもよい。また、周波数選択性をコヒーレント帯域幅（伝搬路が一定とみなせる帯域幅）、時間変動の速さをコヒーレント時間（伝搬路が一定とみなせる時間）などで定義してもよい。
【０１２１】
また、グループ内のサブチャネルがＯＦＤＭのサブキャリアであることを例に説明したが、これに限らず、例えば拡散コードまたはシンボル繰り返しのパタンであってもよい。
【０１２２】
以上、本発明の各実施の形態について説明した。
【０１２３】
なお、前記各実施の形態では、通信端末装置がＯＦＤＭ信号の複数のサブキャリアを束ねたキャリア群を一単位として取り扱い、このキャリア群即ちサブチャネル単位でパイロット信号の受信品質を測定し、またアクセス要求信号を基地局装置に送信する場合について説明したが、本発明はこの場合に限定されるものではなく、例えば通信端末装置がＯＦＤＭ信号におけるサブキャリア単位で受信品質を測定し、またいずれかのサブキャリアを用いてアクセス要求信号を基地局装置に送信するようにしてもよい。
【０１２４】
なお、本発明はアクセス要求信号以外にもＲＡＣＨを用いて送信されるデータであればその他の信号に対しても適用することができる。また、ＲＡＣＨは、コンテンションチャネル、競合チャネルなどと表現されることもある。
【０１２５】
また、前記各実施の形態では、伝送方式としてＯＦＤＭを用いる場合を例に説明したが、本発明はこれに限定されるものではなく、例えば、シングルキャリア信号を複数のキャリアまたは周波数を用いて伝送するようなＦＤＭＡ（Frequency Division Multiple Access）などの伝送方式に対しても適用可能であり、同様の効果が得られる。この場合、サブチャネルは例えば１つのシングルキャリア信号を表すことになる。
【０１２６】
また、ＩＦＤＭＡ（Interleaved FDMA）のような櫛の歯状つまり等間隔に分散した周波数配置を用いた伝送方式についても適用可能である。この場合、サブチャネルは１つのＩＦＤＭＡ信号となる。ちなみに、ＩＦＤＭＡ信号はDistributed Channelと呼ばれることもある。
【０１２７】
また、１つのシングルキャリア信号やＩＦＤＭＡ信号に対してさらに拡散コードなどによりチャネルが分割されていてもよい。この場合、サブチャネルは１つのシングルキャリア信号における拡散コードを表すことになる。
【０１２８】
また、上り回線と下り回線で異なる伝送方式を用いてもよい。
【０１２９】
また、上記の各実施の形態において、ＲＡＣＨの送信に先立ってプリアンブルを送信する場合についても同様に本発明を適用可能である。
【０１３０】
また、上記の各実施の形態においては、ＴＤＤ方式、ＦＤＤ方式のいずれかを想定して説明したが、本発明はどちらの方式についても適用可能である。
【０１３１】
なお、上記各実施の形態では、本発明をハードウェアで構成する場合を例にとって説明したが、本発明はソフトウェアで実現することも可能である。
【０１３２】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０１３５】
本発明に係る通信端末装置及び無線通信方法は、アクセス要求信号のコリジョンの発生確率を低下させてその再送信回数を削減できるという効果を有し、携帯電話やＰＤＡ等の移動体無線通信端末装置等として有用である。
【図面の簡単な説明】
【０１３６】
【図１】本発明の実施の形態１に係る通信端末装置の構成を示すブロック図
【図２】本発明の実施の形態１に係る通信端末装置の通信開始の際の動作を模式的に示す図
【図３】本発明の実施の形態２に係る通信端末装置の構成を示すブロック図
【図４】本発明の実施の形態２に係る通信端末装置の通信開始の際の動作を模式的に示す図
【図５】本発明の実施の形態２に係る通信端末装置の通信開始の際の動作を模式的に示す図
【図６】本発明の実施の形態３に係る通信端末装置の構成を示すブロック図
【図７】本発明の実施の形態３に係る通信端末装置の通信開始の際の動作を模式的に示す図
【図８】本発明の実施の形態４に係る通信端末装置の構成を示すブロック図
【図９】本発明の実施の形態４に係る通信端末装置の通信開始の際の動作を模式的に示す図
【図１０】本発明の実施の形態５に係る通信端末装置の構成を示すブロック図
【図１１】本発明の実施の形態５に係る通信端末装置の通信開始の際の動作を模式的に示す図
【図１２】図１０に示した使用サブチャネル選択部におけるサブチャネル選択方法を示すフロー図
【図１３】本発明の実施の形態６に係る通信端末装置の構成を示すブロック図
【図１４】本発明の実施の形態６に係る通信端末装置の通信開始の際の動作を模式的に示す図
【図１５】サブチャネル選択方法を示すフロー図
【図１６】従来の通信端末装置の通信開始の際の動作を模式的に示す図
【符号の説明】
【０１３７】
１００、３００、６００、８００  通信端末装置
１０１  受信無線部
１０２  ＦＦＴ部
１０３  チャネル分離部
１０４  復調部
１０５  復号部
１０６、１００６  受信品質測定部
１０７  応答判定部
１０８、３０８、６０８、１００８、１３０８  使用サブチャネル選択部
１１１  符号化部
１１２  変調部
１１３  サブチャネル割当部
１１４  送信電力制御部
１１５  ＩＦＦＴ部
１１６  送信無線部
１１７  アンテナ素子
３２１  閾値設定部
６３２、８３２  選択候補数設定部
８３１  優先度判定部
１０３１  伝搬路状態推定部
１０３３  グループ選択部
【図１】
2006054860.tif 000003
【図２】
2006054860.tif 000004
【図３】
2006054860.tif 000005
【図４】
2006054860.tif 000006
【図５】
2006054860.tif 000007
【図６】
2006054860.tif 000008
【図７】
2006054860.tif 000009
【図８】
2006054860.tif 000010
【図９】
2006054860.tif 000011
【図１０】
2006054860.tif 000012
【図１１】
2006054860.tif 000013
【図１２】
2006054860.tif 000014
【図１３】
2006054860.tif 000015
【図１４】
2006054860.tif 000016
【図１５】
2006054860.tif 000017
【図１６】
2006054860.tif 000018